(57)【要約】【課題】本発明は、支台歯模型の保持具に関するもので、支台歯模型の破損リスクを低減することを目的とするものである。【解決手段】そしてこの目的を達成するために本発明は、取付台４と、この取付台４に配置した取付球体１２と、この取付球体１２を挟んで水平方向に対向配置させた取付板１３、取付板１４と、前記取付板１４の前記取付板１３とは反対側に、取付板１５とを備え、前記取付板１３、取付板１４には、前記取付球体１２に対する挟持力を調整する挟持力調整ネジ２１とを設け、取付板１５の中部には支点２７を設け、この支点２７よりも先端側には挟部３０を設け、後端側には開閉操作部３１を設け、前記取付板１５の挟部３０を、前記取付板１４方向に付勢するコイルバネ３８を、前記取付板１５の支点２７より先端側に設けた。【選択図】図４
2012075692.tif 000002
【特許請求の範囲】
【請求項１】
取付台と、この取付台の中央部から上方に立設配置した取付球体と、
この取付球体を挟んで水平方向に対向配置させた第１、第２の取付板と、
前記第２の取付板の前記第１の取付板とは反対側に、開閉自在に設けた第３の取付板とを備え、
前記第１、第２の取付板には、前記取付球体に対する挟持力を調整する調整機構を設け、
前記第３の取付板の中部には支点を設け、この支点よりも先端側には挟部を設け、後端側には開閉操作部を設け、
前記第３の取付板の挟部を前記第２の取付板方向に付勢する付勢体を、前記第３の取付板の支点より先端側に設けた支台歯模型保持具。
【請求項２】
取付台は、取付盤上に配置する構成とし、この取付盤には、前記取付台の取付指示マークを設けた請求項１に記載の支台歯模型保持具。
【請求項３】
第２の取付板と第３の取付板を貫通する支持ピンを設け、この支持ピンの前記第３の取付板の貫通先端側に、付勢体を設けた請求項１または２に記載の支台歯模型保持具。
【請求項４】
支持ピンは、前記第２の取付板を貫通する構成とし、この第２の取付板の前記支持ピンの貫通部には、前記支持ピンの貫通部の外径よりも大きな開口径を有する第１の貫通孔を設けるとともに、前記第３の取付板の支持ピンの貫通部には、前記支持ピンの貫通部の外径よりも大きな開口径を有する第２の貫通孔を設けた請求項３に記載の支台歯模型保持具。
【請求項５】
第２の取付板の前記第１の取付板側を覆う第１のカバーと、前記第３の取付板の前記第２の取付板とは反対側を覆う第２のカバーとを設けた請求項１から４のいずれか一つに記載の支台歯模型保持具。
【発明の詳細な説明】
【技術分野】
【０００１】
本発明は、支台歯模型の保持具に関するものである。
【背景技術】
【０００２】
従来の支台歯模型の保持具の構成は、以下のような構成となっていた。
【０００３】
すなわち、上面が開口した容器に粘着性材料を充填した構成となっていた。そして、この保持具に支台歯模型をセットする時には、支台歯模型の上部方向から、たとえば親指と人差指の２本の指を使って、支台歯模型下部の両側面をつまみ、その状態で、支台歯模型の底部を容器内の粘着性材料表面に当接させ、その後、この粘着性材料に支台歯模型の底部を押し込んで固定する構成となっていた。
【０００４】
そして、支台歯模型が固定された容器を、三次元測定器にセットした後、支台歯模型の三次元測定を実施し、その三次元測定のデータから義歯を設計していく構成となっていた（例えば下記特許文献１）。
【先行技術文献】
【特許文献】
【０００５】
【特許文献１】特開２００８−８６４６７号公報
【発明の概要】
【発明が解決しようとする課題】
【０００６】
上記従来例における課題は、誤って支台歯模型を破損させてしまうことであった。
【０００７】
すなわち、支台歯模型を保持具にセットする時には、上述したごとく、支台歯模型の上部方向から、たとえば親指と人差指の２本の指を使って、支台歯模型中部の両側面をつまみ、その状態で、支台歯模型の底部を、容器内の粘着性材料表面に当接させ、その後、この粘着性材料に支台歯模型の底部を押し込んで固定する。
【０００８】
この押し込み時には、親指と人差指の２本の指に、力が入る事になるのであるが、この２本の指が、誤って支台歯模型の上部に接触してしまうことがある。
【０００９】
この支台歯模型の上部には、義歯の設計に重要なマージンライン（義歯と歯肉の接合線）が形成されており、また、この支台歯模型は、たとえば石膏で作成されている。そのため、このマージンラインに指が接触することによって、脆い石膏で作成されたマージンラインを破損させてしまうことがあった。
【００１０】
そこで本発明は、支台歯模型の破損リスクを低減することを目的とするものである。
【課題を解決するための手段】
【００１１】
そして、この目的を達成するために本発明は、取付台と、この取付台の中央部から上方に立設配置した取付球体と、この取付球体を挟んで水平方向に対向配置させた第１、第２の取付板と、前記第２の取付板の前記第１の取付板とは反対側に、開閉自在に設けた第３の取付板とを備え、前記第１、第２の取付板には、前記取付球体に対する挟持力を調整する調整機構を設け、前記第３の取付板の中部には支点を設け、この支点よりも先端側には挟部を設け、後端側には開閉操作部を設け、前記第３の取付板の挟部を前記第２の取付板方向に付勢する付勢体を、前記第３の取付板の支点より先端側に設けた構成とし、これにより所期の目的を達成するものである。
【発明の効果】
【００１２】
以上のように本発明は、取付台と、この取付台の中央部から上方に立設配置した取付球体と、この取付球体を挟んで水平方向に対向配置させた第１、第２の取付板と、前記第２の取付板の前記第１の取付板とは反対側に、開閉自在に設けた第３の取付板とを備え、前記第１、第２の取付板には、前記取付球体に対する挟持力を調整する調整機構を設け、前記第３の取付板の中部には支点を設け、この支点よりも先端側には挟部を設け、後端側には開閉操作部を設け、前記第３の取付板の挟部を前記第２の取付板方向に付勢する付勢体を、前記第３の取付板の支点より先端側に設けた構成としたものであるので、支台歯模型の破損リスクを低減することができる。
【００１３】
すなわち、本発明においては、取付台上の取付球体を第１、第２の取付板で挟み込んで第２の取付板を安定させており、この安定した第２の取付板に対して、開閉自在に設けた第３の取付板には、その先端側には挟部を設けており、また後端側には開閉操作部を設けている。
【００１４】
そのため、開閉操作部を操作することにより、先端側の挟部を開くことが出来るので、この開いた挟部に支台歯模型を差し込み、その後、開閉操作部を操作すると、第３の取付板の挟部は、この挟部を第２の取付板方向に付勢する付勢体によって閉じられ、これにより、この挟部に、支台歯模型が固定されることとなる。
【００１５】
したがって、支台歯模型に力を加えることなく、支台歯模型を保持具にセットすることができるものとなり、誤って支台歯模型のマージンラインに、指が接触することもなくなる。
【００１６】
その結果として、支台歯模型の破損リスクを低減することができるものとなる。
【図面の簡単な説明】
【００１７】
【図１】本発明の一実施形態における斜視図
【図２】本発明の一実施形態で使用する支台歯模型の斜視図
【図３】本発明の一実施形態で使用する測定装置の斜視図
【図４】本発明の一実施形態の分解斜視図
【図５】同、要部部品の斜視図
【図６】同、要部断面図
【図７】同、要部部品の上面図
【図８】同、要部部品の上面図
【図９】同、使用時の断面図
【図１０】同、斜視図
【図１１】同、使用時の正面図
【発明を実施するための形態】
【００１８】
以下、本発明の一実施形態を添付図面を用いて説明する。
【００１９】
図１において、１は支台歯模型を保持する保持具本体で、測定者によって、図２に示す支台歯模型２が、図３に示すごとく、保持具本体１の上部にセットされた状態で、測定装置３に取りつけられ、その後、測定装置３の上部に設けられた測定部３Ａから測定光が照射され、支台歯模型２の形状測定が行われる。
【００２０】
図１に戻って説明を続けると、保持具本体１の下部には、取付台４が設けられており、この取付台４の内部に設けられたマグネット５によって、取付台４は、金属製の取付盤６上に設置される。
【００２１】
この取付盤６の上面には、その中央位置を示す、取付台４の取付指示マーク７が、直交する２本の線で形成されており、測定者は、この取付指示マーク７を目印にして、保持具本体１の取付台４を、取付盤６上に設置する。
【００２２】
図２は、支台歯模型２を示す図で、この支台歯模型２は、例えば石膏で作成されている。
【００２３】
この支台歯模型２の中央部は、模型台８で構成されており、この模型台８の上部には、支台歯９が形成され、この支台歯９の中部には、義歯と歯肉の接合線であるマージンライン１０が設けられている。
【００２４】
このマージンライン１０は、義歯を設計していくために重要なラインであるが、支台歯模型２自体は、もろい石膏で作成されているために、このマージンライン１０に触れることは避けなくてはならない。
【００２５】
また、模型台８の下部には、１本の金属製のダウエルピン１１が、下方に突出して設けられており、このダウエルピン１１を用いて、支台歯模型２を保持具本体１に保持することとなる。
【００２６】
図４は、保持具本体１を正面側右方向から見た分解図で、取付台４には、この取付台４の中央部から上方に立設配置した取付球体１２が設けられており、この取付球体１２を挟んで、取付板１３、および取付板１４が、対向して立設されている。
【００２７】
また、取付板１４の取付板１３とは反対側には、取付板１５が設けられている。
【００２８】
前記取付板１３は、長方形状の金属板体で、その中央部には、凹部が設けられており、この凹部の中央に、取付球体１２を当接させるための貫通孔１６が設けられている。また、取付板１３の先端部には、取付板１４への引っかけ部１７が突出して設けられている。
【００２９】
前記取付板１４は、長方形状の金属板体で、その上部を、中央部から先端部にかけて、上方に向けて半円状に拡張している。
【００３０】
また、取付板１４の先端部には、引っかけ受け部１８を、取付板１３方向に伸ばして設けており、取付板１４の中央下部には、取付球体保持孔１９を設けている。
【００３１】
そして、この取付球体保持孔１９に取付球体１２を当接させ、引っかけ受け部１８の引っかけ孔２０に、取付板１３の引っかけ部１７を引っかけ、次に、取付板１３の貫通孔１６に取付球体１２を当接させて、取付板１３と取付板１４とを取付球体１２を挟んで対向配置する。
【００３２】
その後、挟持力調整ネジ２１の先端側に設けたネジ部２２を、取付板１３の後方側に設けた貫通孔２３に通して、取付板１４のネジ孔２４へと螺合させると、図７（要部部品の上面図）に示すごとく、挟持力調整ネジ２１中部に設けた段部２５が、取付板１３と当接した状態となる。
【００３３】
この状態で、挟持力調整ネジ２１のツマミ部２６を、取付板１３に向かって時計方向に捻ると、取付板１３は取付板１４に引きつけられ、取付板１３の弾性によって、取付球体１２に対して、その挟持力が増した状態となり、取付板１３と取付板１４は、取付球体１２に、しっかりと固定される。
【００３４】
一方、挟持力調整ネジ２１のツマミ部２６を反時計方向に戻すと、取付板１３および取付板１４間の挟持力は減じられ、取付球体１２を基点として、取付板１３と取付板１４は一体となって動かすことができるようになり、取付板１４を、取付盤６に対して、自由な角度で配置することができる。
【００３５】
その後、もう一度、ツマミ部２６を時計向に捻ると、取付球体１２に対して、その挟持力が増し、取付板１３と取付板１４は、取付球体１２に、再びしっかりと固定される。
【００３６】
図４に戻って説明を続ける。
【００３７】
前記取付板１４の取付板１３とは反対側には、取付板１４に対して、開閉自在に取付板１５を設けている。
【００３８】
この取付板１５は、取付板１４と同じく、長方形状の金属板体で、その上部を、中央部から先端部にかけて、上方に向けて半円状に、取付板１４に対応させて拡張している。
【００３９】
この取付板１５の中部には、その金属板体の一部を取付板１４方向に曲げて、支点２７を形成している。そして、この支点２７よりも、先端側には、取付板１４と取付板１５との対向面に、それぞれの対向面をほぼ覆った、ゴム製の挟みパット２８、２９を、それぞれ設け、挟部３０を形成している。
【００４０】
また、取付板１５の支点２７よりも後端側は、図７に示すごとく、取付板１４から離れる方向に曲げられており、これにより、取付板１５の支点２７よりも後端側と、これに対応する取付板１４とで、開閉操作部３１を形成している。
【００４１】
そして、この支点２７を、取付板１４に設けた支点孔（図４の３２）に差し込み、支点２７の中部に設けた段部（図５の２７ａ）を、取付板１４に当接させると、図８に示すごとく、この支点２７を軸にして、取付板１５は、取付板１４に対して、その前端部と後端部が開閉自在に動くこととなる。
【００４２】
これにより、取付板１５の後端側に設けた開閉操作部３１によって、先端側に設けた挟部３０の開閉動作が行われることとなる。
【００４３】
図４に戻って説明を続けると、取付板１４に対して、取付板１３側から、支持ピン３３を、取付板１４の貫通孔３４に貫通させ、次に、挟みパット２８の孔３５、挟みパット２９の孔３６、取付板１５の貫通孔３７に貫通させ、その後、コイルバネ３８、ワッシャ３９を通した後に、ネジ４０に、支持ピン３３の先端に設けたネジ部４１を螺合させる。
【００４４】
すると、図６に示すごとく、この支持ピン３３の取付板１５を貫通した先端側に、付勢体の一例として、コイルバネ３８を設けた構造となる。
【００４５】
このコイルバネ３８は、図７に示すごとく、取付板１５の支点２７よりも先端側に設けているので、このコイルバネ３８によって、取付板１５先端側の挟部３０が取付板１４方向に押され、挟部３０は閉じられることとなる。
【００４６】
ここで、後方側の開閉操作部３１の取付板１５部分を、取付板１４方向に押しつけると、支点２７を介して、挟部３０の取付板１５部分が、コイルバネ３８の付勢力に逆らって、取付板１４から離れていき、図８に示すごとく、先端側の挟部３０は、大きく開くこととなるのである。
【００４７】
また、図６は、支持ピン３３取付位置の断面図を表しており、この図６に示すごとく、本実施形態においては、取付板１４の支持ピン３３が貫通する貫通孔３４は、この支持ピン３３の貫通部分の外径よりも、大きな開口径とし、これと同じく、取付板１５の支持ピン３３が貫通する貫通孔３７は、この支持ピン３３の貫通部分の外径よりも大きな開口径としている。
【００４８】
そのため、支持ピン３３は、取付板１４、取付板１５に対して、自由な角度で動くことができるものとなり、そのため、取付板１４と取付板１５の間に形成される挟部３０の形状を自由に変化させることができる。
【００４９】
というのは、図２の支台歯模型２のダウエルピン１１には、その大きさ、長さ、形状において様々なものが存在し、例えば、図２においては、ダウエルピン１１の上部から下部にかけて、次第に細くなる形状で構成されているのであるが、そのような時においても、図９に示すごとく、挟部３０は、ダウエルピン１１の形状に合わせて変化し、ゴム製の挟みパット２８、２９でもって、しっかりと保持することができるものとなっている。
【００５０】
なお、図６に示すごとく、ネジ４０のワッシャ３９側、および、支持ピン３３頭部の取付板１４側は、曲面で形成しており、図８に示すごとく、この曲面上を、ワッシャ３９、取付板１４の貫通孔３４が滑ることによって、支持ピン３３がスムーズに動作できるものとなっている。
【００５１】
また、図１に示すごとく、取付板１４の上部から前方側側部にかけては、取付板１３側を覆うカバー体４２を設けており、同じく、取付板１５の上部から前方側側部にかけては、取付板１４とは反対側を覆うカバー体４３とを設けている。
【００５２】
これらカバー体４２、４３によって、たとえば支台歯模型２を測定する時には、図３に示すごとく、測定部３Ａから測定光が照射されるのであるが、保持具本体１の構成部品、より具体的には、取付球体１２、コイルバネ３８等を覆い隠すことができるものとなっている。
【００５３】
したがって、誤って、支台歯模型２以外の部品を測定することがなくなり、支台歯模型２の測定に集中することができるものとなっている。
【００５４】
なお、カバー体４２は取付板１４へ取り付けられており、この取り付けを図４を用いて説明すると、カバー体４２では、カバー体４２の前方側に設けたツメ（図示せず）を、取付板１４の前端部に設けたツメ孔４４に引っかけ、ネジ４５を、取付板１４の後方側に設けた貫通孔４６を介して、カバー体４２の後方側に設けた指当部４２ａのネジ孔４７に対して、ネジ留めしている。
【００５５】
また、カバー体４３では、カバー体４３の前方側に設けたツメ４８を、取付板１５の前端部に設けたツメ孔４９に引っかけ、その後、ネジ５０を、取付板１５の後方側に設けた貫通孔５１を介して、カバー体４３の後方側に設けた指当部４３ａのネジ孔（図示せず）に、ネジ留めしている。
【００５６】
上述の指当部４２ａ、４３ａは、開閉操作部３１に設けられており、指当部４２ａ、４３ａによって、挟部３０の開閉操作が行われる。
【００５７】
以上の構成において、以下、その使用時の動作について、図１、図１０を用いて説明する。
【００５８】
図１において、測定者は、例えば右手の親指と人差し指で、保持具本体１の指当部４２ａ、４３ａに指を当てて、開閉操作部３１を挟み込み、そのまま力を込めて開閉操作部３１を閉じると、上述したごとく、先端側の挟部３０は大きく開くこととなり、図１０に示す状態となる。
【００５９】
この時、図２に示す、支台歯模型２の中央部にある模型台８を、その横方向から、例えば、左手の親指と人差し指を用いて持ち、その後、この模型台８下部に設けられたダウエルピン１１を、その下部から、開いた挟部３０に差し込む。
【００６０】
その状態で、開閉操作部３１の力を緩めると、上述したごとく、図９に示すように、挟部３０は、ダウエルピン１１の形状に合わせて変化し、ゴム製の挟みパット２８、２９でもって、ダウエルピン１１をしっかり挟み込み、支台歯模型２をしっかりと保持した状態となる。
【００６１】
その結果として、支台歯模型２には、力を加えることなく、簡単に支台歯模型２を保持具本体１にセットすることができるものとなる。
【００６２】
従って、従来のように、誤って支台歯模型２の上部に設けられた支台歯９に触ることもなくなり、また、誤って支台歯９の中部に設けられたマージンライン１０に触ることもなくなるものとなる。
【００６３】
その結果として、支台歯模型２の破損リスクを低減することができるものとなる。
【００６４】
その後、支台歯模型２は、保持具本体１にセットされた状態で、図３に示すごとく、測定装置３の測定台５２に取りつけられ、測定が開始される。
【００６５】
この測定に際しては、保持具本体１の支台歯模型２に対して、真上から、測定部３Ａによって測定光が照射され、測定台５２が水平方向（図３のＸＹ方向）に移動しながら測定が行われる。
【００６６】
なお、この測定においては、上部の測定部３Ａから測定光が照射されるので、保持具本体１は、黒色系に処理することで、測定光の反射による測定ミスを抑制する対策が講じられている。
【００６７】
また、人の歯の形は千差万別であり、図２に示すごとく、正面側に向けて大きく突出した支台歯９も存在する。この支台歯９を、そのまま真上から測定すると、支台歯９には、測定部３Ａから見えない部分（アンダーカット部分）が発生し、その結果として、測定できない部分が発生してしまうことがある。
【００６８】
本実施形態においては、図１に示すごとく、挟部３０を構成している取付板１４および、取付板１５の上部を、その中央部から先端部にかけて、上方に向けて半円状に拡張している。
【００６９】
このため、この半円に合わせて支台歯模型２の保持位置を変えることにより、支台歯９の保持角度を変えることができるようになっている。
【００７０】
また、上述したごとく、取付球体１２を基点として、取付板１３と取付板１４は一体となって動かすことができ、取付板１４は、取付盤６に対して、自由な角度に設定することができるため、図１１に示すごとく、保持具本体１を取付盤６に対して傾けることができる。
【００７１】
そのため、支台歯模型２の支台歯９を、真上に向けた状態にして、保持具本体１に取りつけることができるので、アンダーカット部分を無くして、図１の測定装置３にセットすることができるものとなる。
【００７２】
また、図１１に示すごとく、支台歯模型２の支台歯９を、真上に向けようとして、保持具本体１を傾けた結果、支台歯９が、測定部３Ａの真下から外れてしまう時があるが、その時においても、保持具本体１は、取付盤６に対して、取付台４内部のマグネット５によって設置されるので、図３に示すごとく、取付盤６の取付指示マーク７を参照にして、簡単に測定部３Ａの真下に設置することができるものとなっている。
【００７３】
その結果として、本実施形態の保持具本体１は、様々な形の支台歯９に対応して、適切に測定することができるものとしつつ、支台歯模型２の破損リスクを低減することができるものとなる。
【産業上の利用可能性】
【００７４】
以上のように本発明は、取付台と、この取付台の中央部から上方に立設配置した取付球体と、この取付球体を挟んで水平方向に対向配置させた第１、第２の取付板と、前記第２の取付板の前記第１の取付板とは反対側に、開閉自在に設けた第３の取付板とを備え、前記第１、第２の取付板には、前記取付球体に対する挟持力を調整する調整機構を設け、前記第３の取付板の中部には支点を設け、この支点よりも先端側には挟部を設け、後端側には開閉操作部を設け、前記第３の取付板の挟部を前記第２の取付板方向に付勢する付勢体を、前記第３の取付板の支点より先端側に設けた構成としたものであるので、支台歯模型の破損リスクを低減することができる。
【００７５】
すなわち、本発明においては、取付台上の取付球体を第１、第２の取付板で挟み込んで第２の取付板を安定させており、この安定した第２の取付板に対して、開閉自在に設けた第３の取付板には、その先端側には挟部を設けており、また後端側には開閉操作部を設けている。
【００７６】
そのため、開閉操作部を操作することにより、先端側の挟部を開くことが出来るので、この開いた挟部に支台歯模型を差し込み、その後、開閉操作部を操作すると、第３の取付板の挟部を第２の取付板方向に付勢する付勢体によって、この挟部が閉じられて、支台歯模型が挟部に固定されることとなる。
【００７７】
したがって、支台歯模型に力を加えることなく、支台歯模型を保持具にセットすることができるものとなり、誤って支台歯模型のマージンラインに、指が接触することもなくなる。
【００７８】
その結果として、支台歯模型の破損リスクを低減することができるものとなる。
【００７９】
したがって、支台歯模型の保持具として、広く活用が期待されるものである。
【符号の説明】
【００８０】
１  保持具本体
２  支台歯模型
３  測定装置
３Ａ  測定部
４  取付台
５  マグネット
６  取付盤
７  取付指示マーク
８  模型台
９  支台歯
１０  マージンライン
１１  ダウエルピン
１２  取付球体
１３  取付板
１４  取付板
１５  取付板
１６  貫通孔
１７  引っかけ部
１８  引っかけ受け部
１９  取付球体保持孔
２０  引っかけ孔
２１  挟持力調整ネジ
２２  ネジ部
２３  貫通孔
２４  ネジ孔
２５  段部
２６  ツマミ部
２７  支点
２７ａ  段部
２８、２９  挟みパット
３０  挟部
３１  開閉操作部
３２  支点孔
３３  支持ピン
３４  貫通孔
３５、３６  孔
３７  貫通孔
３８  コイルバネ
３９  ワッシャ
４０  ネジ
４１  ネジ部
４２  カバー体
４２ａ  指当部
４３  カバー体
４３ａ  指当部
４４  ツメ孔
４５  ネジ
４６  貫通孔
４７  ネジ孔
４８  ツメ
４９  ツメ孔
５０  ネジ
５１  貫通孔
５２  測定台
【図１】
2012075692.tif 000003
【図２】
2012075692.tif 000004
【図３】
2012075692.tif 000005
【図４】
2012075692.tif 000006
【図５】
2012075692.tif 000007
【図６】
2012075692.tif 000008
【図７】
2012075692.tif 000009
【図８】
2012075692.tif 000010
【図９】
2012075692.tif 000011
【図１０】
2012075692.tif 000012
【図１１】
2012075692.tif 000013